(57)【要約】【課題】従来のネクタイをワイシャツに留める場合、専用のネクタイ留め具が必要だったが、付け忘れや紛失が起こる事がある。又最近は、ネクタイの模様、図柄の美観を損ねる理由として従来型のネクタイ留め具をしないケースが多くなっているが、前屈みで作業などをする場合や風の影響で肩などにネクタイが乗ってしまう現象は煩わしく危険なものであった。又、従来のネクタイでは、模様や図柄は平面でしか表現出来なかった為、立体的に見せる事が不可能だった。【解決手段】必要な時だけネクタイをワイシャツに留められるように、小剣通し自体をネクタイ留め具の役割も担うようにする。又、小剣通しをネクタイに止定する為に、ネクタイ表帯の表面側の同位置に固定し合う物として、ネクタイの模様、図柄の一部を模った立体の形状物を設けることで、立体の視覚効果を得る事が出来る。【選択図】図１
2006052509.tif 000002
【特許請求の範囲】
【請求項１】
ネクタイの小剣通しを、当該ネクタイの裏帯を通した後、スライドしてワイシャツの前身ごろ前開き部分に挟み入れ、当該ネクタイをワイシャツに留める事が出来るネクタイ留め具の役割も担うような、図１、１のような口を閉じた変形のコの字型形状物にして、当該ネクタイ表帯裏面側に止定する。ネクタイ留め具兼用の小剣通しが付いたことを特徴とするネクタイ。
【請求項２】
請求項１記載の小剣通しをネクタイの表帯裏面に止定する為に、小剣通しの止定位置に当たる当該ネクタイ表帯本体に１つ以上の穴を開け、この穴を通じ、当該ネクタイの表帯表面側に立体の形状物を配置し、当該ネクタイ表帯本体を挟み合う形で小剣通しと固定し合う。この立体の形状物は、当該ネクタイの模様、図柄の一部を立体的に模った形状とする。ネクタイ表帯表面側に立体の形状物が付いた特徴とするネクタイ。
【発明の詳細な説明】
【技術分野】
【０００１】  本発明はネクタイ留め具兼用の小剣通しが付いた、立体の視覚効果を有するネクタイに関する。
【背景技術】
【０００２】  従来、ネクタイをワイシャツに留める方法として、ネクタイ及びワイシャツの前身ごろにネクタイ表側から本体のピンを挿通し、ワイシャツの裏側でピンの先端を留めるネクタイピン型や、ネクタイとワイシャツの前身ごろを重ねて双方を挟んで留める棒状のタイクリップ型、タイクリップにチェーンを備えたタイチェーン型などのネクタイ留め具を利用する。【０００３】  又、従来のネクタイの模様、図柄は平面で表現するものである。
【発明の開示】
【発明が解決しようとする課題】
【０００４】  上述した背景技術【０００２】のネクタイ留め具は、ネクタイとは別に存在することで、付け忘れや紛失が起こる事がある。又、最近のネクタイは幅広のタイプや多様な模様、図柄の個性化が際立ち、ネクタイ自体の美感を損ねる障害物として、従来型のネクタイ留め具を敬遠、又はしないケースが多くなっている。【０００５】  しかしながら、上着や背広を着用せずネクタイ留め具もしない場合に起こる、風でネクタイが肩などに乗ってしまう現象は徒歩途中にとって煩わしものであり、前屈みで作業などを行う場合は、ネクタイが垂れ下がり作業の妨げになり危険である。【０００６】  又従来のネクタイの模様、図柄は平面でしか表現する事が出来ず、最近の多種多様な個人の趣向性やファッション性を十分に満足させる事が出来ない。【０００７】  そこでこの発明は、従来のネクタイ留め具を使わずに、必要に応じた時にいつでもネクタイをワイシャツに留められる事と、ネクタイの模様、図柄の一部を立体で表現する事を目的としたネクタイを提供することを課題とする。
【課題を解決するための手段】
【０００８】  以上の課題を解決する為に、第一発明は、ネクタイ留め具の役割も担う小剣通しを止定したことを特徴とするネクタイである。また、第二発明は、ネクタイの模様、図柄の一部を模った立体の形状物を付けた事を特徴とするネクタイである。
【発明の効果】
【０００９】  第一発明によれば、ネクタイに予め付いている小剣通しをネクタイ留め具の役割も担うようにしたので、必要に応じていつでもワイシャツにネクタイを留められる。【００１０】  第二発明によれば、ネクタイの模様、図柄の一部を模った立体の形状物をネクタイ表帯表面側に付けた事で、ネクタイの模様、図柄の一部を立体的に見せる視覚効果を有する。
【発明を実施するための最良の形態】
【００１１】  この発明の一実施形態を、図１に示す。
図１、１の小剣通しは、アクリル樹脂、塩化ビニール、ＡＢＳ樹脂を含むプラスチック系の材質、純アルミニウムを含むアルミニウム合金系の材質、純銅、銅合金系の材質、ステンレススチールを含む鉄系の材質、鍍金を施した鉄・金・銀・銅、真鍮、プラチナ、チタン、硬質ガラス、ホーロー、加工木材、陶器、硬質ゴム、硬質繊維、硬質塩化ビニル、その他前記材質と同等以上の硬度を有し、【００１２】  気温８０度〜マイナス４０度に於いて内外部破損、破壊、亀裂、表面剥離及び成形された形状が変形しない、体積膨張率と縮小率が２０パーセント以内の個体の材質にする。【００１３】  形状は図３のように当該ネクタイの裏帯を通した後、スライドしてワイシャツの前身ごろのボタンに邪魔されないに前開き部分に挟み入れ、ネクタイをワイシャツに留める役割も担うような外寸法、幅４ｃｍ〜１０ｃｍ、高さ０．２ｃｍ〜１０ｃｍ、奥行き０．５ｃｍ〜５ｃｍ範囲内に収まる、図１、１のような口を閉じた変形のコの字型の形状物にして、当該ネクタイ表帯裏面に止定する。【００１４】止定方法は、小剣通しの止定位置に当たる当該ネクタイ表帯本体に０．２ｃｍ〜１ｃｍの丸い穴を１つ以上開け、同位置の当該ネクタイ表帯表面側に【００１１】記載定義材質の外寸法、幅０．５ｃｍ〜１０ｃｍ高さ０．５ｃｍ〜１０ｃｍ、奥行き０．１ｃｍ〜８ｃｍ範囲内から成る、図２、２のような立体の形状物１つ以上を配置し、当該ネクタイ表帯本体を挟み合う形で前記の穴を通じ、直接小剣通しとネジ、ビス、ボルトで係合、ハトメ、溶接その他同等の効力、強度を有する方法で結合、固定し合う。【００１５】
【００１４】記載の立体の形状物は、当該ネクタイの模様、図柄の一部を模った立体の形状物とする為、同固定し合う図１、１の小剣通しの止定角度も、当該ネクタイの裏帯を垂直に通せる範囲の０度〜１８０度内とする。但し止定する位置は、当該ネクタイ表帯の下端１ｃｍ〜８０ｃｍ以内の高さとし、左右均等を保てる位置とする。
【他の実施形態】
【００１６】  図２の実施形態では、立体の形状物は小剣通しと相対し重なる位置にのみ１つ以上止定するが、それとは別にネクタイの模様、図柄によっては
【００１１】記載定義の材質、
【００１４】記載定義の大きさ範囲内で、前記立体の形状物と同形か異形の別の立体の形状物１つ以上を前記立体の形状物と重ならないネクタイ表帯表面範囲内に、
【００１４】記載の止定方法で１つ以上配置しても良い。
【００１７】  但しこの場合、当該ネクタイ表帯裏面で固定し合う物は、
【００１１】記載定義の材質、
【００１３】記載の大きさ範囲内の板状の物とする。又、前記の板状の物を使わずに直接当該ネクタイ自体に固定する場合もある。
【００１８】図２、２の形状物は、ネクタイの模様、図柄の一部を立体的に模った形状物である為、模様、図柄が違うネクタイに於いては形状も変化する。
【図面の簡単な説明】
【００１９】
【図１】本発明の実施形態を示すネクタイを斜背面から見た部分外観断面図
【図２】同ネクタイを斜正面から見た部分外観断面図
【図３】同ネクタイをワイシャツに留めて斜背面から見た部分外観断面図
【図４】同ネクタイを正面から見た部分外観図
【図５】同ネクタイを背面から見た部分外観図
【図６】同ネクタイを底面から見た断面図
【図７】同ネクタイをワイシャツに留めて底面から見た部分断面図
【図８】同ネクタイを左側から見た部分外観図
【図９】同ネクタイを右側から見た部分外観図
【図１０】従来のネクタイを正面から見た部分外観図
【図１１】従来のネクタイを背面から見た部分外観図
【符号の説明】
【００２０】１  小剣通し
２  立体の形状物
３  ネクタイ表帯
４  ネクタイ裏帯
５  ワイシャツの前身ごろ前開き部分
６  ワイシャツの前身ごろボタン
【図１】
2006052509.tif 000003
【図２】
2006052509.tif 000004
【図３】
2006052509.tif 000005
【図４】
2006052509.tif 000006
【図５】
2006052509.tif 000007
【図６】
2006052509.tif 000008
【図７】
2006052509.tif 000009
【図８】
2006052509.tif 000010
【図９】
2006052509.tif 000011
【図１０】
2006052509.tif 000012
【図１１】
2006052509.tif 000013